(57)【特許請求の範囲】
【請求項１】
パワーショベル機の可動アーム先端部の開閉可能な一対の爪からなるフォーク装置に取り付けられるロールシート廃棄物解体用アタッチメントであって、該アタッチメントは、芯材に巻かれているロールシートを切断するよう一方の爪に装着される切断用カッターアタッチメントと、芯材の両端開口側に嵌め入れてあるフランジ付きカバーを取り外すよう他方の爪に装着される抜脱用フックアタッチメントとを備えたことを特徴とするパワーショベル機利用のロールシート廃棄物解体用アタッチメント。
【請求項２】
切断用カッターアタッチメントは、略コ字枠状のブラケットの外面にカッターが突設され且つブラケットの開口側両側縁部それぞれにボルト挿入部が形成されてなり、フォーク装置の爪先端側に外方から嵌め込められたブラケットのボルト挿入部にボルトが装着されて当該ボルトが爪の内側に形成されている窪みに掛架保持されるようにしてなる請求項１記載のパワーショベル機利用のロールシート廃棄物解体用アタッチメント。
【請求項３】
抜脱用フックアタッチメントは、略コ字枠状のブラケットの外面にフックが突設され且つブラケットの開口側両側縁部それぞれにボルト挿入部が形成されてなり、フォーク装置の爪先端側に外方から嵌め込められたブラケットのボルト挿入部にボルトが装着されて当該ボルトが爪の内側に形成されている窪みに掛架保持されるようにしてなる請求項１または２記載のパワーショベル機利用のロールシート廃棄物解体用アタッチメント。
【発明の詳細な説明】
【技術分野】
【０００１】
本発明は、広幅な所定肉厚のフィルムシート等を巻回してあるロールシート廃棄物を例えばＲＤＦ（Ｒｅｆｕｓｅ  Ｄｅｒｉｖｅｄ  Ｆｕｅｌ）等の固形燃料として利用できるよう当該ロールシート廃棄物のロールフランジ解体とシート切断を行うために使用されるパワーショベル機利用のロールシート廃棄物解体用アタッチメントに関する。
【背景技術】
【０００２】
従来、不要となったロールシートを例えばＲＤＦ等の固形燃料として利用するために、例えば手作業でカッターを使ってロールシートを任意の大きさに予め切断しておき、クラッシャー等に投入してさらに細かく破砕処理され、その後に固形化されるのである。このロールシートは、長さ約１〜１．５ｍ程度の硬紙製の筒状となった芯材に、約５０〜６０ｃｍ程度の厚さまでシートが巻かれており、該芯材の両端開口側は保形用の金属製のフランジ付きカバーを嵌め入れてある。
【特許文献１】特になし
【発明の開示】
【発明が解決しようとする課題】
【０００３】
しかしながら、従来においては、不要となったロールシートは、芯材の両端開口側からフランジ付きカバーを工具を使って取り外してから、例えばカッターを使って手作業でシートを長手方向に沿って切断するため、かなりの労働力を要し、しかも切断作業中にカッターで手指等を傷付けてしまう虞があった。
【０００４】
そこで、本発明は叙上のような従来存した諸事情に鑑み創出されたもので、パワーショベル機に取り付けることで、少ない労働力で安全且つ能率的に不要となったロールシート廃棄物を解体可能とするパワーショベル機利用のロールシート廃棄物解体用アタッチメントを提供することを目的とする。
【課題を解決するための手段】
【０００５】
上述した課題を解決するため、本発明にあっては、パワーショベル機Ｕの可動アームＬ先端部の開閉可能な一対の爪Ｆ１，Ｆ２からなるフォーク装置Ｆに取り付けられるロールシート廃棄物解体用アタッチメント１であって、該アタッチメント１は、芯材Ｑに巻かれているロールシートＰを切断するよう一方の爪Ｆ２（Ｆ１）に装着される切断用カッターアタッチメント２と、芯材Ｑの両端開口側に嵌め入れてあるフランジ付きカバーＲを取り外すよう他方の爪Ｆ１（Ｆ２）に装着される抜脱用フックアタッチメント３とを備えたことを特徴とする。
切断用カッターアタッチメント２は、略コ字枠状のブラケット２ｂの外面にカッター２ａが突設され且つブラケット２ｂの開口側両側縁部それぞれにボルト挿入部２ｃが形成されてなり、フォーク装置Ｆの一方の爪Ｆ２（Ｆ１）先端側に外方から嵌め込められたブラケット２ｂのボルト挿入部２ｃにボルト２ｄが装着されて当該ボルト２ｄが爪Ｆ２（Ｆ１）の内側に形成されている窪み４に掛架保持されるようにしてなるものとできる。
抜脱用フックアタッチメント３は、略コ字枠状のブラケット３ｂの外面にフック３ａが突設され且つブラケット３ｂの開口側両側縁部それぞれにボルト挿入部３ｃが形成されてなり、フォーク装置Ｆの他方の爪Ｆ１（Ｆ２）先端側に外方から嵌め込められたブラケット３ｂのボルト挿入部３ｃにボルト３ｄが装着されて当該ボルト３ｄが爪Ｆ１（Ｆ２）の内側に形成されている窪み５に掛架保持されるようにしてなるものとできる。
【０００６】
以上のように構成された本発明に係るパワーショベル機利用ロールシート廃棄物解体用アタッチメント１にあって、切断用カッターアタッチメント２は、外面にカッター２ａが突設してなるブラケット２ｂをフォーク装置Ｆの一方の爪Ｆ２（Ｆ１）先端側に外方から嵌め込み、ブラケット２ｂのボルト挿入部２ｃにボルト２ｄが装着される。こうすることで、当該ボルト２ｄが爪Ｆ２（Ｆ１）の内側に形成されている窪み４に掛架保持されてブラケット２ｂの脱落を防止させる。
そして、ブラケット２ｂ外面に突設したカッター２ａは、芯材Ｑに巻かれているロールシートＰ表面に突き当て状に配置され、パワーショベル機Ｕの可動アームＬを介してフォーク装置Ｆを例えば前後進させることで、当該ロールシートＰを長手方向に沿って切断させる。
一方、抜脱用フックアタッチメント３は、外面にフック３ａが突設してなるブラケット３ｂをフォーク装置Ｆの他方の爪Ｆ１（Ｆ２）先端側に外方から嵌め込み、ブラケット３ｂのボルト挿入部３ｃにボルト３ｄが装着される。こうすることで、当該ボルト３ｄが爪Ｆ１（Ｆ２）の内側に形成されている窪み５に掛架保持されてブラケット３ｂの脱落を防止させる。
そして、ブラケット３ｂ外面に突設したフック３ａは、芯材Ｑの両端開口側に嵌め入れてあるフランジ付きカバーＲに掛架位置され、パワーショベル機Ｕの可動アームＬを介してフォーク装置Ｆを揺動させることで、当該フランジ付きカバーＲを抜脱させる。
【発明の効果】
【０００７】
本発明によれば、パワーショベル機Ｕのフォーク装置Ｆに取り付けることで、少ない労働力で安全且つ能率的に不要となったロールシートＰ廃棄物を解体することができる。
【０００８】
すなわち、これは本発明が、芯材Ｑに巻かれているロールシートＰを切断するよう一方の爪Ｆ２（Ｆ１）に装着される切断用カッターアタッチメント２と、芯材Ｑの両端開口側に嵌め入れてあるフランジ付きカバーＲを取り外すよう他方の爪Ｆ１（Ｆ２）に装着される抜脱用フックアタッチメント３とを備えたからであり、これにより、パワーショベル機Ｕのフォーク装置Ｆを前後進あるいは揺動駆動させることで安全且つ能率的にロールシートＰ廃棄物を解体することができる。
【０００９】
切断用カッターアタッチメント２は、略コ字枠状のブラケット２ｂの外面にカッター２ａが突設され且つブラケット２ｂの開口側両側縁部それぞれにボルト挿入部２ｃが形成されてなり、フォーク装置Ｆの一方の爪Ｆ２（Ｆ１）先端側に外方から嵌め込められたブラケット２ｂのボルト挿入部２ｃにボルト２ｄが装着されて当該ボルト２ｄが爪Ｆ２（Ｆ１）の内側に形成されている窪み４に掛架保持されるようにしてなるので、パワーショベル機Ｕのフォーク装置Ｆの前後進駆動でカッター２ａによってロールシートＰを確実に、しかもそれが複数回で積重ね状で肉厚になっていても切断できる。また切断時にブラケット２ｂの爪Ｆ２（Ｆ１）からの脱落を確実に防止することができる。
【００１０】
抜脱用フックアタッチメント３は、略コ字枠状のブラケット３ｂの外面にフック３ａが突設され且つブラケット３ｂの開口側両側縁部それぞれにボルト挿入部３ｃが形成されてなり、フォーク装置Ｆの他方の爪Ｆ１（Ｆ２）先端側に外方から嵌め込められたブラケット３ｂのボルト挿入部３ｃにボルト３ｄが装着されて当該ボルト３ｄが爪Ｆ１（Ｆ２）の内側に形成されている窪み５に掛架保持されるようにしてなるので、パワーショベル機Ｕのフォーク装置Ｆの揺動駆動でフック３ａによってフランジ付きカバーＲを簡単に抜脱でき、しかも抜脱時にブラケット３ｂの爪Ｆ１（Ｆ２）からの抜脱用アタッチメント３の脱落を確実に防止することができる。
【００１１】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１２】
以下、図面を参照して本発明を実施するための最良の一形態を説明する。図において示される符号１は、パワーショベル機Ｕのフォーク装置Ｆに着脱可能に装着されるロールシート廃棄物解体用アタッチメントである。パワーショベル機Ｕは、図１に示すように、移動旋回用台車Ｍに対し起伏可能なブームＶ先端に可動アームＬが回動自在に取り付けられ、該可動アームＬはブームＶから延びたアームシリンダＳを介して前後に揺動可能としてある。また、アームＬ先端には、一端を支点にして互いに揺動することで略対称に開閉自在とした上下一対の爪Ｆ１，Ｆ２による前記フォーク装置Ｆが揺動ブラケットＫを介して取り付けられている。
【００１３】
そして、フォーク装置Ｆの一方側、例えば下側に位置する例えば３本の爪Ｆ２の中央の１本には、ロールシート廃棄物解体用アタッチメント１の一つとして、芯材Ｑに巻かれているロールシートＰを切断するための切断用カッターアタッチメント２が外向きとなって装着されている。
【００１４】
また、フォーク装置Ｆの他方側、例えば上側に位置する例えば２本の爪Ｆ１全体には、ロールシート廃棄物解体用アタッチメントの他の一つとして、芯材Ｑの両端開口側を保形すべく、嵌め入れてある筒状のフランジ付きカバーＲを取り外すための抜脱用フックアタッチメント３が外向きとなって装着されている。
【００１５】
尚、ロールシートＰは、図４に示すように、長さが例えば約１〜１．５ｍ程度の硬紙製の筒状となった芯材Ｑに対し、約５０〜６０ｃｍ程度の厚さまで複数回で巻かれて相当な肉厚なものとなっており、該芯材Ｑの両端開口側はフランジ付きカバーＲを嵌め入れて塞ぐようにして、圧遺されることがないように保形している。
【００１６】
切断用カッターアタッチメント２は、図２に示すように、湾曲した爪Ｆ２に対応して外面が略円弧状に湾曲した全体略コ字枠状のブラケット２ｂの当該外面に略三日月状のカッター２ａが突設されており、またブラケット２ｂの開口側両側縁部それぞれには、爪Ｆ２の内側の２つの窪み４に対応して２つの突起状のボルト挿入部２ｃが形成されている。
【００１７】
そして、切断用カッターアタッチメント２を爪Ｆ２に装着する場合には、フォーク装置Ｆの下側の中央の爪Ｆ２の先端側に外方からブラケット２ｂが装着され、ボルト挿入部２ｃにボルト２ｄが装着された際には、各ボルト２ｄが爪Ｆ２の内側の２つの窪み４それぞれに掛架保持されることでブラケット２ｂ自体が抜け止め状態となってしっかりと固定されるものとしてある。
【００１８】
一方、抜脱用フックアタッチメント３は、図３に示すように、湾曲した爪Ｆ１に対応して外面が略円弧状に湾曲した全体略コ字枠状の幅広なブラケット３ｂの当該外面の中央下側に略嘴状のフック３ａが突設されている。またブラケット３ｂの開口側両側縁部それぞれには、爪Ｆ１の内側の３つの窪み５に対応して３つの突起状のボルト挿入部３ｃが形成されている。そして、上端側および中央に位置するボルト挿入部３ｃの相互間は若干深い溝６が形成されており、抜脱用フックアタッチメント３の装着に際し、この溝６に、２本の爪Ｆ１同士を連結している軸７の両端突出部分が係合されるようにしてある。
【００１９】
そして、抜脱用フックアタッチメント３を爪Ｆ１に装着する場合には、フォーク装置Ｆの上側の爪Ｆ１全体の先端側に外方からブラケット３ｂが装着され、ボルト挿入部３ｃにボルト３ｄが装着された際には、各ボルト３ｄが爪Ｆ１の内側の３つの窪み４それぞれに掛架保持されることでブラケット３ｂ自体が抜け止め状態となってしっかりと固定されるものとしてある。
【００２０】
次に、以上のように構成された最良の形態についての組立、使用、動作の一例について説明する。図２に示すように、フォーク装置Ｆへの切断用カッターアタッチメント２の装着に際し、ボルト挿入部３ｃ相互間の溝６に、２本の爪Ｆ１同士を連結している軸７の両端突出部分を係合させるようにして、フォーク装置Ｆの下側の中央の爪Ｆ２の先端側に外方からブラケット２ｂを装着し、ボルト挿入部２ｃにボルト２ｄを装着する。こうすることで、各ボルト２ｄは爪Ｆ２の内側の２つの窪み４それぞれに掛架保持され、これによりブラケット２ｂ自体は抜け止め状態となってしっかりと固定される。
【００２１】
一方、図３に示すように、フォーク装置Ｆへの抜脱用フックアタッチメント３の装着に際し、フォーク装置Ｆの上側の爪Ｆ１全体の先端側に外方からブラケット３ｂを装着し、ボルト挿入部３ｃにボルト３ｄを装着する。こうすることで、各ボルト３ｄが爪Ｆ１の内側の３つの窪み４それぞれに掛架保持され、これによりブラケット３ｂ自体は抜け止め状態となってしっかりと固定される。
【００２２】
抜脱用フックアタッチメント３のフック３ａによるフランジ付きカバーＲの抜脱に際し、図４（ａ）に示すように、ブラケット３ｂ外面に突設したフック３ａを、芯材Ｑの両端開口側に嵌め入れてある筒状のフランジ付きカバーＲの中央筒孔に挿入し、フック３ａ先端を奥側の筒孔縁部に掛架させておく。
【００２３】
そして、図４（ｂ）に示すように、パワーショベル機Ｕの可動アームＬを介してフォーク装置Ｆの上側に位置する爪Ｆ１を前後方向に揺動させることで、当該フランジ付きカバーＲはフック３ａによって引き抜かれる。
【００２４】
また、切断用カッターアタッチメント２のカッター２ａによるロールシートＰの切断に際し、図５に示すように、ブラケット２ｂ外面に突設したカッター２ａを、芯材Ｑに巻かれているロールシートＰ表面に突き当て状に配置しておき、パワーショベル機Ｕの可動アームＬを介してフォーク装置Ｆの下側に位置する爪Ｆ２をロールシートＰの長手方向に沿って前後に進退走行させることで当該ロールシートＰが切断される。
【００２５】
尚、本形態においては、フォーク装置Ｆの一方側の下側に位置する爪Ｆ２に切断用カッターアタッチメント２が取り付けられ、且つフォーク装置Ｆの他方側の上側に位置する爪Ｆ１に抜脱用フックアタッチメント３が取り付けられているが、これに限らず、上側に位置する爪Ｆ１に切断用カッターアタッチメント２が取り付けられ、且つフォーク装置Ｆの下側に位置する爪Ｆ２に抜脱用フックアタッチメント３が取り付けられていても良い。また、カッター２ａ、フック３ａ、ブラケット２ｂ，３ｂの形状や取付位置等も本発明を何等限定するものではなく、他の種々の形態を採用しても良いことは勿論である。
【図面の簡単な説明】
【００２６】
【図１】本発明を実施するための最良の形態におけるパワーショベル機によるロールシート廃棄物の解体作業を示す説明図である。
【図２】同じくフォーク装置の爪に取り付けた切断用カッターアタッチメントの一例を示し、（ａ）は爪を斜め前方側から見た斜視図、（ｂ）は中央の爪を斜め後方側から見た斜視図、（ｃ）は中央の爪を側面側から見た斜視図である。
【図３】同じくフォーク装置の爪に取り付けた抜脱用フックアタッチメントの一例を示し、（ａ）は爪を斜め前方側から見た斜視図、（ｂ）は爪を斜め後方側から見た斜視図、（ｃ）は爪の背面図である。
【図４】同じく抜脱用フックアタッチメントの使用の一例を示し、（ａ）は芯材の両端開口側に嵌め入れられているフランジ付きカバーを取り外す前の状態の側断面図、（ｂ）はフランジ付きカバーを取り外した状態の側断面図である。
【図５】同じく切断用カッターアタッチメントのカッターによってロールシートを切断する一例を示す側面図である。
【符号の説明】
【００２７】
Ｐ…ロールシート                        Ｑ…芯材
Ｒ…フランジ付きカバー                  Ｕ…パワーショベル機
Ｍ…移動旋回用台車                      Ｖ…ブーム
Ｌ…可動アーム                          Ｓ…アームシリンダ
Ｋ…揺動ブラケット                      Ｆ…フォーク装置
Ｆ１，Ｆ２…爪
１…ロールシート廃棄物解体用アタッチメント
２…切断用カッターアタッチメント        ２ａ…カッター
２ｂ…ブラケット                        ２ｃ…ボルト挿入部
２ｄ…ボルト                            ３…抜脱用フックアタッチメント
３ａ…フック                            ３ｂ…ブラケット
３ｃ…ボルト挿入部                      ３ｄ…ボルト
４，５…窪み                            ６…溝
７…軸
【図１】
0004606436.tif 000002
【図２】
0004606436.tif 000003
【図３】
0004606436.tif 000004
【図４】
0004606436.tif 000005
【図５】
0004606436.tif 000006